(57)【要約】【課題】手の自由を拘束されているような状態でも、非常警報スイッチの操作を行うことができる。しかも非常警報スイッチの操作が、犯人に気付かれにくく、周囲に人が居ない場合にも助けを求めることができ、防犯ブザーを鳴らしたことを犯人には知られないようにすることも可能な新規な防犯機能を具えた履物を提供する。【解決手段】履物本体２に対し、着脱自在に非常警報スイッチ３ａを設ける。また非常警報スイッチ３ａをオン状態とすることにより起動する発信装置３を設け、外部にこの信号を受信する受信装置４を設けるようにしたことを特徴とする。【選択図】図１
2007175279.tif 000002
【特許請求の範囲】
【請求項１】
履物本体に対し、着脱自在に非常警報スイッチを設けたことを特徴とする防犯機能を具えた履物。
【請求項２】
前記非常警報スイッチをオン状態とすることにより起動する発信装置を設け、外部にこの発信装置の出力信号を受信する受信装置を設けるようにしたことを特徴とする請求項１記載の防犯機能を具えた履物。
【請求項３】
前記非常警報スイッチをオン状態とすることにより起動し、警報音発生装置を前記履物本体に着脱自在に設けたことを特徴とする請求項１または２記載の防犯機能を具えた履物。
【請求項４】
前記非常警報スイッチは、履物本体の側部、踵部または舌革部に設けることを特徴とする請求項１、２または３記載の防犯機能を具えた履物。
【請求項５】
前記履物本体に集音マイクを設けていることを特徴とする請求項１、２、３または４記載の防犯機能を具えた履物。
【請求項６】
前記履物本体にカメラを設けていることを特徴とする請求項１、２、３、４または５記載の防犯機能を具えた履物。
【請求項７】
前記発信装置等の警報装置は、前記履物本体に設けたポケット内に収納されるもので、このポケットまたは発信装置には、再帰反射性の反射材が設けられることを特徴とする請求項１、２、３、４、５または６記載の防犯機能を具えた履物。
【発明の詳細な説明】
【技術分野】
【０００１】
本発明は強盗や誘拐等の危険事態に遭遇した際に身体または財産の安全を守るために使用される防犯機能を具えた履物に関するものである。
【背景技術】
【０００２】
従来より誘拐や強盗などから身体や金品を守るために携帯型の防犯ブザーが広く流通している（例えば特許文献１、２参照）。
しかし、このような携帯型の防犯ブザーは、手で操作するものであるため、犯人側にその操作が見られやすく、また手を挙げさせられたり、手を持たれて拘束されているような状態では、操作を行えないという操作面での不都合があった。またこの種の携帯型の防犯ブザーは、周囲に人が居て聞きつけてもらえないと効果がなく、更に防犯ブザーを鳴らした際に、犯人が逆上し、更なる危険事態を招く虞もあった。
【特許文献１】特開２００５−３３９２８５号公報
【特許文献２】特開２００２−１７２０１５号公報
【発明の開示】
【発明が解決しようとする課題】
【０００３】
本発明はこのような背景からなされたものであって、手を挙げさせられたり、手を持たれて拘束されているような状態でも、非常警報スイッチの操作を行うことができ、しかもその操作をしたこと自体が、犯人に気付かれにくく、更には周囲に人が居ない場合にも助けを求めることができる新規な防犯機能を具えた履物を実現しようとするものである。
【課題を解決するための手段】
【０００４】
すなわち請求項１記載の防犯機能を具えた履物は、履物本体に対し、着脱自在に非常警報スイッチを設けたことを特徴として成るものである。
【０００５】
更に請求項２記載の防犯機能を具えた履物は、前記要件に加え、前記非常警報スイッチをオン状態とすることにより起動する発信装置を設け、外部にこの発信装置の出力信号を受信する受信装置を設けるようにしたことを特徴として成るものである。
【０００６】
また請求項３記載の防犯機能を具えた履物は、前記要件に加え、前記非常警報スイッチをオン状態とすることにより起動し、警報音発生装置を前記履物本体に着脱自在に設けたことを特徴として成るものである。
【０００７】
また請求項４記載の防犯機能を具えた履物は、前記要件に加え、前記非常警報スイッチは、履物本体の側部、踵部または舌革部に設けることを特徴として成るものである。
【０００８】
また請求項５記載の防犯機能を具えた履物は、前記要件に加え、前記履物本体に集音マイクを設けていることを特徴として成るものである。
【０００９】
また請求項６記載の防犯機能を具えた履物は、前記要件に加え、前記履物本体にカメラを設けていることを特徴として成るものである。
【００１０】
また請求項７記載の防犯機能を具えた履物は、前記要件に加え、前記発信装置等の警報装置は、前記履物本体に設けたポケット内に収納されるもので、このポケットまたは発信装置には、再帰反射性の反射材が設けられることを特徴として成るものである。
【発明の効果】
【００１１】
本発明の防犯機能を具えた履物は、上述した手段により以下のような効果を奏するものである。
すなわち請求項１記載の防犯機能を具えた履物によれば、履物本体に非常警報スイッチが設けられているため、犯人から非常警報操作が発見されずらい。また手を挙げさせられたり、掴まれたりなどの手の自由をまず奪われることは多いが、足、脚は自由であるときが多いため、非常警報スイッチの操作が行いやすい。また非常警報スイッチが着脱式のため、洗濯がしやすい。また汎用性にも優れる。
【００１２】
更に請求項２記載の防犯機能を具えた履物によれば、周囲に人がいないような場合にも、離れた場所へ緊急事態の発生を知らせることができ、外部からの助けを求めることができる。また履物本体の個所では警報音が聞こえないようにしておけば、犯人の逆上防止の効果もある。
【００１３】
また請求項３記載の防犯機能を具えた履物によれば、犯人を威嚇するとともに、周囲に助けを求めることが可能である。
【００１４】
また請求項４記載の防犯機能を具えた履物によれば、履物本体の側部、踵部または舌革部は、非常警報スイッチ等を設置しやすいことに加え、非常時のスイッチ操作もしやすい。加えて日常的な歩行にもほとんど支障ないしは違和感がない。
【００１５】
また請求項５記載の防犯機能を具えた履物によれば、犯行現場の音声等から受信者が現場の様子を知ることができ、的確な警備、救助活動の対応ができる。更に犯人が逃走した場合でも、その捜索の手掛かりが得られ且つ犯罪の証拠ともなる。
【００１６】
また請求項６記載の防犯機能を具えた履物によれば、犯行現場の映像から受信者が現場の様子を知ることができ、的確な警備、救助活動の対応ができる。更に犯人が逃走した場合でも、その捜索の手掛かりが得られ且つ犯罪の証拠ともなる。
【００１７】
また請求項７記載の防犯機能を具えた履物によれば、履物本体のポケットに収容されるため、着脱が容易であり、また反射材が夜間や暗闇での視認性向上に役立つ。
【発明を実施するための最良の形態】
【００１８】
本発明の最良の形態は、具体的には以下の実施例に述べる通りである。
【実施例１】
【００１９】
以下本発明を図示の実施の形態に基づき説明する。なお本実施の形態では例えばコンビニエンスストアなどの店舗での防犯用として、本発明の防犯機能を具えた履物を使用する場合を例にとって示す。
図１中符号１で示すものが本発明に係る防犯機能を具えた履物である。具体的には、非常警報スイッチ３ａと発信回路とを具えて成る無線式の発信装置３のユニットが、履物本体２の踵部２１のポケット６内に収納されて成る。非常警報スイッチ３ａのスイッチ部は、ポケット６のスイッチ孔６ａから外部に表れている。なお発信装置３は、踵部２１のほか、図２に示すように側部２２や舌革部２３へ設置する構成としてもよい。また非常警報スイッチ３ａの設置個数は一個のみでもよいし、二個以上を複数個所に設置するようにしてもよい。なお非常警報スイッチ３ａのスイッチ部は、操作ストロークのある押しボタン式のものや操作ストロークのない押圧感知式のものなど種々のタイプのスイッチを適用することが可能である。なお非常警報スイッチ３ａと、本体部分の発信回路本体とは、本実施例１のように一体で形成してもよいし、別体で構成して発信回路本体は踵部２１とは履物本体２の別個所に設置するようにしてもよい。
【００２０】
一方、前記発信装置３からの信号を受信する受信装置４は、壁などの適宜個所に設置される。また受信装置４には、サイレン音、非常ベル音等の適宜の非常事態の発生を直感させる音を発生させる警報音発生装置５が接続されるものであり、この警報音発生装置５は店舗外にも良く聞こえる位置に設置される。
【００２１】
本発明の防犯機能を具えた履物１の一例は以上のような具体的形態を有するものであって、以下この作動態様について説明する。
本発明の防犯機能を具えた履物１の使用者Ｓ、例えばコンビニエンスストアの店員等は、防犯機能を具えた履物１を履き通常の業務に就く。なお発信装置３の履物本体２へのセットは、履物本体２のポケット６内に電源電池が内蔵された発信装置３を挿入し、非常警報スイッチ３ａのスイッチ部をスイッチ孔６ａから出すことで完了する。またこのポケット６の開口部の閉鎖は例えば面ファスナやファスナ等で行う。
【００２２】
そして強盗などの襲撃者Ｃ（犯人）に遇った場合には、使用者Ｓは防犯機能を具えた履物１における非常警報スイッチ３ａを、非常警報スイッチ３ａが取り付けられていない反対側の足や、防犯機能を具えた履物１を履いた足をその他の設置物に当接させることによって押し、非常警報スイッチ３ａをオン状態とする。この際、非常警報スイッチ３ａが足下にあるため、襲撃者Ｃには非常警報スイッチ３ａを押したことが気付かれにくい。また手を挙げさせられたり、掴まれたりなどの手の自由をまず奪われることは多いが、足、脚は自由であることが多いため、非常警報スイッチ３ａの操作が可能であり且つ行いやすい。なお使用者Ｓの近くで警報音が聞こえないように構成されている場合には、非常警報スイッチ３ａのＯＮ操作が正確になされたか否か、使用者Ｓが確認できず不安を感ずるが、これを解消するためには非常警報スイッチ３ａの操作によって作動する振動装置を別途履物本体２に設けるようにしておいてもよい。
【００２３】
非常警報スイッチ３ａが押されると、発信装置３が起動し、その出力信号が受信装置４に無線送信され、警報音発生装置５が作動し、サイレン音、非常ベル等の警報音が鳴動される。なお受信装置４から更に電話回線等を用いて警備会社、系列チェーン他店、系列チェーン本部、営業車両、特定個人の携帯電話等へ通報するようなシステムを採ることも可能である。もちろん発信装置３自体の出力が充分であるときには、これらに直接通報することができる。なおこの際、店舗に既設されている防犯カメラＶの映像も同時に警備会社等へ送信するよう構成してもよい。
【実施例２】
【００２４】
また本発明の防犯機能を具えた履物１を、子供等の誘拐対策に用いる場合には、図３に示されるように履物本体２に対し、前述したような非常警報スイッチ３ａと発信装置３のほか、入力装置である集音マイク８やカメラ９、また出力装置であるスピーカ１０を設けておくようにしてもよい。なお本実施例２では比較的送信距離は長くなるため、発信装置３には、携帯電話装置を適用するようにしてもよい。また集音マイク８やカメラ９は、非常警報スイッチ３ａを押すことにより電源が入り、これらからは、受信者に使用者Ｓ（通報者）の状況が把握することができるとともに、犯罪の証拠ともなる。またスピーカ１０からは、受信者が使用者Ｓへ「どうしたの」などの肉声による状況の確認を行うことが可能となると共に、これによって不心得者をひるませ、犯行の完遂を防ぐことも期待できる。また防犯機能を具えた履物１の使用者Ｓの位置情報を得るため、履物本体２に自局の位置情報を受信するＧＰＳモジュールを設けるようにしておいてもよい。また更に本実施例２のように屋外での使用を想定している場合には、図３（ｂ）に示すように履物本体２のポケット６には、再帰反射性を有した反射材７を貼設しておいてもよい。因みに再帰反射とは、乱反射や鏡面反射等の通常の反射とは異なり、光がどのような方向から当たっても光源に向かって、そのまま反射する現象であり、自動車のドライバーとしては、非常に良く反射光が見え、歩行者の存在を把握しやすいものである。因みに乱反射は、凹凸表面で起こる反射であり、入射光を、あらゆる方向に拡散させて反射させる現象である。また鏡面反射は、鏡等の表面で起こる反射であり、入射角と同じ角度で反射する現象であり、反射光の視認性としては、再帰反射が最も有効である。
【実施例３】
【００２５】
また以上の実施例１、２では防犯機能を具えた履物１は、遠隔者に通報を送信する形態のものを示したが、履物本体２に対し、非常警報スイッチ３ａと、これをオン状態（ＯＮ出力信号）とすることにより鳴動するブザー装置等の警報音発生装置を直接具え付けておき、使用者Ｓの周囲の者に対し、助けを求める形態で実施することも可能である。
【図面の簡単な説明】
【００２６】
【図１】本発明に係る防犯機能を具えた履物の使用状態を示す斜視図である（実施例１）。
【図２】履物本体に対する非常警報スイッチの種々の設置位置を示す説明図である（実施例１）。
【図３】（ａ）は非常警報スイッチのほか、集音マイクやカメラを具えた本発明に係る防犯機能を具えた履物の斜視図であり、（ｂ）は非常警報スイッチの設置個所を拡大して示す斜視図である（実施例２）。
【符号の説明】
【００２７】
１      防犯機能を具えた履物
２      履物本体
２１    踵部
２２    側部
２３    舌革部
３      発信装置
３ａ    非常警報スイッチ
４      受信装置
５      警報音発生装置
６      ポケット
６ａ    スイッチ孔
７      反射材
８      集音マイク
９      カメラ
１０    スピーカ
Ｃ      襲撃者
Ｓ      使用者
Ｖ      防犯カメラ
【図１】
2007175279.tif 000003
【図２】
2007175279.tif 000004
【図３】
2007175279.tif 000005